(57)【要約】【課題】ハードディスクドライブ装置により発生する音が原因となって骨伝導スピーカによる通話が妨げられることがない携帯通信端末を提供する。【解決手段】骨伝導スピーカ２２利用の音声通話が開始されると、データ転送制御部１０は、ハードディスクドライブ装置（以下、ＨＤＤと呼ぶ）３３に対するディスクアクセスを禁止するようにハードウェア制御部３４を制御する。データ転送制御部１０は、HDD３３に書き込むべきデータを内蔵メモリ３１や着脱式メモリ３２に書き込むように制御する。音声通話が終了すると、データ転送制御部１０は、ＨＤＤ３３に対するディスクアクセスの禁止を解除するようにハードウェア制御部３４を制御する。また、データ転送制御部１０は、内蔵メモリ３１や着脱式メモリ３２に書き込まれていた、ＨＤＤ３３へ書き込むべきデータを、ＨＤＤ３３へ転送するように制御する。【選択図】図１
2007150954.tif 000002
【特許請求の範囲】
【請求項１】
ハードディスクドライブ装置と、
骨伝導スピーカと、
前記ハードディスクドライブ装置におけるデータの書き込みと、前記骨伝導スピーカからの音声出力とを排他的に制御する制御手段とを備えることを特徴とする携帯通信端末。
【請求項２】
請求項１に記載の携帯通信端末において、
前記制御手段は、前記骨伝導スピーカから音声が出力されている場合には前記ハードディスクドライブ装置におけるデータの書き込みを禁止することを特徴とする携帯通信端末。
【請求項３】
請求項１に記載の携帯通信端末において、
前記制御手段は、前記ハードディスクドライブ装置がデータを書き込む場合には前記骨伝導スピーカからの音声出力を禁止することを特徴とする携帯通信端末。
【請求項４】
請求項１に記載の携帯通信端末において、
前記制御手段は、前記骨伝導スピーカから音声が出力されていないときに前記ハードディスクドライブ装置においてデータの書き込みを行うことを特徴とする携帯通信端末。
【請求項５】
請求項２に記載の携帯通信端末において、
データを記録するバッファメモリをさらに備え、
前記制御手段は、前記ハードディスクドライブ装置におけるデータの書き込みを禁止している際、記録を要するデータが入力されると前記バッファメモリに記録することを特徴とする携帯通信端末。
【請求項６】
請求項５に記載の携帯通信端末において、
前記バッファメモリの残容量が所定値以下になったことを報知する報知手段をさらに備えることを特徴とする携帯通信端末。
【請求項７】
請求項５に記載の携帯通信端末において、
前記制御手段は、前記バッファメモリの残容量が所定値以下になると前記データの記録を停止することを特徴とする携帯通信端末。
【請求項８】
請求項１〜７のいずれか一項に記載の携帯通信端末において、
被写体像を撮像する撮像素子をさらに備えることを特徴とする携帯通信端末。
【請求項９】
ハードディスクドライブ装置と、
骨伝導スピーカと、
前記ハードディスクドライブ装置におけるデータの書き込みと、前記骨伝導スピーカからの音声出力とを排他的に制御する制御手段とを備えることを特徴とする音声伝達装置。
【請求項１０】
ハードディスクドライブ装置と、
骨伝導マイクと、
前記ハードディスクドライブ装置におけるデータの書き込みと、前記骨伝導マイクの使用とを排他的に制御する制御手段とを備えることを特徴とする携帯通信端末。
【発明の詳細な説明】
【技術分野】
【０００１】
本発明は、ハードディスクドライブ装置を備える携帯通信端末および音声伝達装置に関する。
【背景技術】
【０００２】
ハードディスクドライブ装置を備える携帯通信端末として、ハードディスクドライブ装置を搭載した携帯電話機が知られている（特許文献１参照）。
【０００３】
【特許文献１】特開２００５−２８４３３５号公報
【発明の開示】
【発明が解決しようとする課題】
【０００４】
しかしながら、骨伝導スピーカによる通話中にハードディスクドライブ装置のデータ書き込みが行われると、ハードディスクドライブ装置より発生する音が通話の障害となる恐れがある。
【課題を解決するための手段】
【０００５】
（１）  請求項１の発明による携帯通信端末は、ハードディスクドライブ装置と、骨伝導スピーカと、ハードディスクドライブ装置におけるデータの書き込みと、骨伝導スピーカからの音声出力とを排他的に制御する制御手段とを備えることを特徴とする。
（２）  請求項２の発明は、請求項１に記載の携帯通信端末において、制御手段は、骨伝導スピーカから音声が出力されている場合にはハードディスクドライブ装置におけるデータの書き込みを禁止することを特徴とする。
（３）  請求項３の発明は、請求項１に記載の携帯通信端末において、制御手段は、ハードディスクドライブ装置がデータを書き込む場合には骨伝導スピーカからの音声出力を禁止することを特徴とする。
（４）  請求項４の発明は、請求項１に記載の携帯通信端末において、制御手段は、骨伝導スピーカから音声が出力されていないときにハードディスクドライブ装置においてデータの書き込みを行うことを特徴とする。
（５）  請求項５の発明は、請求項２に記載の携帯通信端末において、データを記録するバッファメモリをさらに備え、制御手段は、ハードディスクドライブ装置におけるデータの書き込みを禁止している際、記録を要するデータが入力されるとバッファメモリに記録することを特徴とする。
（６）  請求項６の発明は、請求項５に記載の携帯通信端末において、バッファメモリの残容量が所定値以下になったことを報知する報知手段をさらに備えることを特徴とする。
（７）  請求項７の発明は、請求項５に記載の携帯通信端末において、制御手段は、バッファメモリの残容量が所定値以下になるとデータの記録を停止することを特徴とする。
（８）  請求項８の発明は、請求項１〜７のいずれか一項に記載の携帯通信端末において、被写体像を撮像する撮像素子をさらに備えることを特徴とする。
（９）  請求項９の発明による音声伝達装置は、ハードディスクドライブ装置と、骨伝導スピーカと、ハードディスクドライブ装置におけるデータの書き込みと、骨伝導スピーカからの音声出力とを排他的に制御する制御手段とを備えることを特徴とする。
（１０）  請求項１０の発明による携帯通信端末は、ハードディスクドライブ装置と、骨伝導マイクと、ハードディスクドライブ装置におけるデータの書き込みと、骨伝導マイクの使用とを排他的に制御する制御手段とを備えることを特徴とする。
【発明の効果】
【０００６】
（１）  請求項１の発明による携帯通信端末では、ハードディスクドライブ装置より発生する音が原因となって骨伝導スピーカによる通話が妨げられることがない。
（２）  請求項９の発明による音声伝達装置では、ハードディスクドライブ装置より発生する音が原因となって骨伝導スピーカによる通話が妨げられることがない。
（３）  請求項１０の発明による携帯通信端末では、ハードディスクドライブ装置より発生する音が原因となって骨伝導マイクによる通話が妨げられることがない。
【発明を実施するための最良の形態】
【０００７】
−−−第１の実施の形態−−−
図１〜４を参照して、本発明による携帯通信端末の第１の実施の形態を説明する。図１は、携帯通信端末の一例としての携帯電話機の全体構成図である。携帯電話機１００は、データ転送制御部１０と、通信回路１１と、アンテナ１２と、表示装置２１と、骨伝導スピーカ２２と、音圧スピーカ２３と、音圧マイク２４と、入力部２５とを有する。携帯電話機１００は、携帯電話機１００で扱う各種データを格納するために、内蔵メモリ３１と、着脱式メモリ３２と、ハードディスクドライブ装置３３と、ハードウェア制御部３４とを有する。携帯電話機１００は、撮像ユニット４１と、ラジオ／ＴＶ受信回路４２と、ラジオ／ＴＶ受信アンテナ４３とを有する。
【０００８】
データ転送制御部１０は、携帯電話機１００の各部の動作やデータを制御する制御部である。通信回路１１は、外部の携帯電話網との通信を確立して、音声通信、および、メールの送受信や、ウエブの閲覧、オンラインゲームの利用などの非音声通信を行う回路である。アンテナ１２は、通信回路１１と外部の携帯電話網と間で電波の送受信を行うためのアンテナである。表示装置２１は、各種の表示を行うためのものであり、たとえば液晶表示装置などが用いられる。
【０００９】
骨伝導スピーカ２２は、いわゆる骨伝導を利用して使用者に音声を伝達するためのスピーカである。骨伝導スピーカ２２から出力される音声は骨伝導音として使用者に伝達される。音圧スピーカ２３は、空気を介して使用者の鼓膜に音声を伝達するスピーカである。音圧スピーカ２３から出力される音声は気導音として使用者に伝達される。音圧マイク２４は、使用者の発した音声の気導音を集音するマイクである。入力部２５は、携帯電話機１００の各種操作を行うための入力部であり、ダイヤルボタンや、開始ボタン、通話終了ボタン、コマンドボタンなど、不図示の各操作ボタンを有する。
【００１０】
内蔵メモリ３１は、携帯電話機１００に内蔵される半導体メモリであり、携帯電話機１００で扱う各種データを格納する。なお、内蔵メモリ３１は、データ転送制御部１０のメインメモリとしての機能も有する。着脱式メモリ３２は、携帯電話機１００に対して着脱可能な記憶媒体であり、携帯電話機１００で扱う各種データを格納する。ハードディスクドライブ装置（以下、ＨＤＤと呼ぶ）３３は、携帯電話機１００に搭載された記憶装置であり、携帯電話機１００で扱う各種データを格納する。ＨＤＤ３３は不図示の磁気ヘッドとディスクを有している。ディスクには磁性体が塗布されている。ＨＤＤ３３の磁気ヘッドは、電磁誘導によりディスクにデータを書き込むことができる。また、磁気ヘッドはディスクに書き込まれたデータを読み取ることができる。ハードウェア制御部３４は、ＨＤＤ３３の動作を制御する制御部であり、データ転送制御部１０からの入力信号に応じて、ＨＤＤ３３に対して駆動制御信号を出力する。
【００１１】
撮像ユニット４１は、レンズと撮像素子と撮像回路とを備えたカメラモジュールであり、被写体像を撮像できる。ラジオ／ＴＶ受信回路４２は、ラジオ放送やテレビジョン放送の受信回路である。ラジオ／ＴＶ受信アンテナ４３は、ラジオ放送やテレビジョン放送を受信するためのアンテナである。
【００１２】
このように構成される携帯電話機１００では、音声通信、および、メールの送受信や、ウエブの閲覧、オンラインゲームの利用などの非音声通信を行うことができる。音声通信（音声通話）を行う際には、通話相手の音声を骨伝導スピーカ２２から出力させることにより、骨伝導を利用して使用者に音声を伝達することができる。
【００１３】
携帯電話機１００では、表示装置２１を電子ビューファインダーとして利用して、撮像ユニット４１によって被写体像を撮像できる。被写体像の画像データは、携帯電話網を介して、または、赤外線通信やBluetoothなどの通信手段によって、他の携帯電話機やパーソナルコンピュータなどの外部の機器に送信可能である。また、同様に外部の機器から画像データを携帯電話機１００で受信可能である。
【００１４】
携帯電話機１００では、データ転送制御部１０が通信回路１１を制御することにより楽曲データのダウンロードをすることが可能である。そしてデータ転送制御部１０はダウンロードされた楽曲データを、内蔵メモリ３１または着脱式メモリ３２に記録する。また、データ転送制御部１０が骨伝導スピーカ２２または音圧スピーカ２３を制御することによりダウンロードした楽曲データを再生することができる。携帯電話機１００では、データ転送制御部１０がハードウェア制御部３４を制御することにより、さまざまなデータをHDD３３に記録することができる。データ転送制御部１０はさまざまなデータを内蔵メモリ３１、または着脱式メモリ３２に記録することが可能である。
【００１５】
記録されるデータの種類について説明すると、たとえば、通話内容をＨＤＤ３３に記録（録音）して読み出す（再生する）ことができる。また、撮像ユニット４１で撮像した被写体像の画像データをＨＤＤ３３に記録することができる。
【００１６】
データ転送制御部１０は、ハードウェア制御部３４を制御することによりＨＤＤ３３に記録された画像データを読み出して表示装置２１に表示させることができる。データ転送制御部１０は、HDD３３に記録されたデータを電子メールに添付し、通信回路１１を制御することによってアンテナ１２から外部に送信することができる。また、データ転送制御部１０は、アンテナ１２と通信回路１１とを介して受信したデータをＨＤＤ３３に記録することができる。
【００１７】
データ転送制御部１０は、ラジオ／ＴＶ受信アンテナ４３とラジオ／ＴＶ受信回路４２を介して受信したテレビジョン放送やラジオ放送の内容を、ハードウェア制御部３４を制御することによりＨＤＤ３３に記録（録画／録音）することが可能である。また、データ転送制御部１０は、骨伝導スピーカ２２、音圧スピーカ２３，表示装置２１のいずれかを制御することによりＨＤＤ３３に記録（録画／録音）した内容を再生することができる。
【００１８】
データ転送制御部１０は、たとえば会議の内容など、音圧マイク２４で集音した音を、ハードウェア制御部３４を制御することによりＨＤＤ３３に記録（録音）することが可能である。データ転送制御部１０は、骨伝導スピーカ２２または音圧スピーカ２３を制御することにより録音された音声を再生することができる。
【００１９】
−−−骨伝導スピーカ２２とＨＤＤ３３の排他制御について−−−
骨伝導スピーカ２２は、音声を振動として使用者の頭骨に伝えるため、携帯電話機１００の筐体自身も振動させてしまう。そのため、この振動がＨＤＤ３３にも伝わり、データの読み込みおよび書き込みに悪影響を及ぼす恐れがある。また、これとは逆に、ＨＤＤ３３のアクセス音などが携帯電話機１００の筐体に伝わって筐体を振動させてしまい、骨伝導スピーカ２２を使用する使用者に対して騒音として伝わってしまう。そこで、本実施の形態の携帯電話機１００では、以下に詳述するように、骨伝導スピーカ２２とＨＤＤ３３とを排他的に制御することで、これらの問題を解決している。
【００２０】
携帯電話機１００では、以下の（１）〜（３）で詳述する各動作モードの設定が可能であり、設定された動作モードに応じてデータ転送制御部１０が骨伝導スピーカ２２とＨＤＤ３３とを制御する。
【００２１】
（１）  骨伝導スピーカ優先モード
骨伝導スピーカ優先モードは、音声通話時に骨伝導スピーカ２２を使用する動作モードの１つである。なお、音声通話時に骨伝導スピーカ２２を使用する動作モードには、骨伝導スピーカ優先モードの他に、後の（２）で説明するハードディスクドライブ装置優先モードがある。骨伝導スピーカ優先モードでは、ＨＤＤ３３よりも骨伝導スピーカ２２を優先して使用する。
【００２２】
骨伝導スピーカ優先モードが設定されている場合、音声通話が開始されると、データ転送制御部１０は、通話相手の音声を骨伝導スピーカ２２から出力し、音圧スピーカ２３からは出力しないように骨伝導スピーカ２２を制御する。また、データ転送制御部１０は、音声通話が開始されると、ＨＤＤ３３に対してデータの書き込みおよび読み込みを禁止するようにハードウェア制御部３４へ制御信号を出力する。すなわち、音声通話時には、ＨＤＤ３３におけるディスクアクセスが禁止される。
【００２３】
ディスクアクセスが禁止されている場合、データ転送制御部１０は、ＨＤＤ３３に書き込むべきデータを内蔵メモリ３１や着脱式メモリ３２に書き込むように各メモリ３１，３２を制御する。すなわち、骨伝導スピーカ優先モードが設定されていて音声通話が行われている場合には、ＨＤＤ３３へ書き込むべきデータは、ＨＤＤ３３へは書き込まれず、内蔵メモリ３１や着脱式メモリ３２に書き込まれる。このように、内蔵メモリ３１や着脱式メモリ３２は、バッファメモリとして使用される。
【００２４】
なお、音声通話が行われているときにＨＤＤ３３へ書き込むべきデータが発生するのは、たとえば、通信回路１１で受信したテレビジョン放送やラジオ放送の内容をＨＤＤ３３に録画／録音する場合や、音声通話の内容を録音する場合などである。
【００２５】
内蔵メモリ３１や着脱式メモリ３２にデータが書き込まれて、内蔵メモリ３１や着脱式メモリ３２の残容量が少なくなると、データ転送制御部１０は、骨伝導スピーカ２２から報知音を出力するように制御する。具体的には、データ転送制御部１０は、内蔵メモリ３１と着脱式メモリ３２との残容量の合計値が所定値以下になったと判断すると、骨伝導スピーカ２２から報知音を出力するように骨伝導スピーカ２２を制御する。このとき、内蔵メモリ３１や着脱式メモリ３２の残容量が少なくなった旨の表示を表示装置２１に表示するように構成してもよい。内蔵メモリ３１および着脱式メモリ３２の双方の残容量がなくなると、データ転送制御部１０はデータの記録を停止する。
【００２６】
音声通話が終了すると、データ転送制御部１０は、ディスクアクセスの禁止を解除するようにハードウェア制御部３４へ制御信号を出力する。また、データ転送制御部１０は、各メモリ３１，３２に書き込まれていたＨＤＤ３３へ書き込むべきデータを、ＨＤＤ３３へ転送して記録するように各部３１〜３４を制御する。
【００２７】
また、ディスクアクセスが禁止されている場合、ＨＤＤ３３のデータを読み込む必要が生じる操作が行われると、データ転送制御部１０は、その操作を無効とする。すなわち、骨伝導スピーカ優先モードが設定されていて音声通話が行われている間は、ＨＤＤ３３に記録されたデータの読み込みを要する操作が行われると、データ転送制御部１０は、その操作を無効とする。
【００２８】
なお、音声通話が行われていないときには、データ転送制御部１０は、ＨＤＤ３３に対するデータの書き込みおよび読み込みを制限しない。
【００２９】
（２）  ハードディスクドライブ装置優先モード
ハードディスクドライブ装置優先モードは、上述した骨伝導スピーカ優先モードと同様に、音声通話時に骨伝導スピーカ２２を使用する動作モードの１つである。ハードディスクドライブ装置優先モードでは、上述した骨伝導スピーカ優先モードとは異なり、バッファメモリとしての内蔵メモリ３１や着脱式メモリ３２の残容量がなくなると、骨伝導スピーカ２２よりもＨＤＤ３３を優先して使用する。
【００３０】
ハードディスクドライブ装置優先モードが設定されている場合、音声通話が開始されると、データ転送制御部１０は、通話相手の音声を骨伝導スピーカ２２から出力し、音圧スピーカ２３からは出力しないように骨伝導スピーカ２２を制御する。また、データ転送制御部１０は、音声通話が開始されると、ＨＤＤ３３に対してデータの書き込みおよび読み込みを禁止するようにハードウェア制御部３４へ制御信号を出力する。
【００３１】
ディスクアクセスが禁止されている場合、データ転送制御部１０は、ＨＤＤ３３に書き込むべきデータを内蔵メモリ３１や着脱式メモリ３２に書き込むように各メモリ３１，３２を制御する。すなわち、ハードディスクドライブ装置優先モードが設定されていて音声通話が行われている場合には、ＨＤＤ３３へ書き込むべきデータは、ＨＤＤ３３へは書き込まれず、内蔵メモリ３１や着脱式メモリ３２に書き込まれる。
【００３２】
内蔵メモリ３１や着脱式メモリ３２にデータが書き込まれて、内蔵メモリ３１と着脱式メモリ３２との残容量の合計値が所定値以下になると、データ転送制御部１０は、骨伝導スピーカ２２から報知音を出力するように制御する。このとき、内蔵メモリ３１や着脱式メモリ３２の残容量が少なくなった旨の表示を表示装置２１に表示するように構成してもよい。
【００３３】
内蔵メモリ３１および着脱式メモリ３２の双方の残容量がなくなると、データ転送制御部１０は、通話音声の出力先を骨伝導スピーカ２２から音圧スピーカ２３に切り換える。また、データ転送制御部１０は、ディスクアクセスの禁止を解除するようにハードウェア制御部３４へ制御信号を出力する。その結果、ＨＤＤ３３へ書き込むべきデータがＨＤＤ３３で記録される。なお、内蔵メモリ３１や着脱式メモリ３２に書き込まれていた、ＨＤＤ３３へ書き込むべきデータも、ＨＤＤ３３へ転送されて記録される。
【００３４】
（３）  音圧スピーカ使用モード
音圧スピーカ使用モードは、音声通話時に音圧スピーカ２３を使用する動作モードである。音圧スピーカ使用モードでは、音圧スピーカ２３からの音声出力の有無に関わりなく、ＨＤＤ３３においてデータの書き込みおよび読み込みが行われる。すなわち、音圧スピーカ使用モードでは、音声通話が行われていても、データ転送制御部１０は、ＨＤＤ３３に対するデータの書き込みおよび読み込みを制限しない。
【００３５】
−−−動作モードの設定−−−
携帯電話機１００では、各種設定を行う設定操作と同様の操作によって、音声通話の際の動作モードを上述したいずれかの動作モードに設定できる。すなわち、入力部２５の操作によって表示装置２１に表示される設定メニューの中から動作モードの設定メニューが呼び出される。この設定メニューにおいて、上述したいずれかの動作モードが選択されて決定されると、決定された動作モードに応じて、データ転送制御部１０が骨伝導スピーカ２２とＨＤＤ３３とを制御する。なお、各動作モードの設定は、上述のように音声通話に先立ってあらかじめ行われるものであるが、音声通話開始直前に、たとえば、着信があったときに設定可能となるように構成されていてもよい。また、音声通話の開始後に、異なる動作モードへ移行できるように構成してもよい。
【００３６】
−−−フローチャート−−−
図２〜４は、携帯電話機１００における骨伝導スピーカ２２とＨＤＤ３３との制御プログラムの動作を示すフローチャートである。入力部２５の開始ボタンがオンされて、通信（音声通話）が開始されると、図２〜４に示す処理を行うプログラムが起動され、データ転送制御部１０で実行される。ステップＳ１０１において、あらかじめ設定された動作モードが音圧スピーカ使用モードであるか否かを判断する。
【００３７】
ステップＳ１０１が否定判断されるとステップ１０３へ進み、あらかじめ設定された動作モードが骨伝導スピーカ優先モードおよびハードディスクドライブ装置優先モードのどちらであるのかを判断する。
【００３８】
ステップＳ１０３において、あらかじめ設定された動作モードが骨伝導スピーカ優先モードであると判断されると、ステップＳ１０５へ進み、ＨＤＤ３３に対してデータの書き込みおよび読み込みを禁止するようにハードウェア制御部３４に信号を出力してステップＳ１０７へ進む。ステップＳ１０７において、通信回路１１から入力される音声信号を骨伝導スピーカ２２へ出力することにより音声出力を開始してステップＳ１１１へ進む。ステップＳ１１１において、ＨＤＤ３３に書き込むべきデータが入力されたか否かを判断する。
【００３９】
ステップＳ１１１が肯定判断されるとステップＳ１１３へ進み、内蔵メモリ３１と着脱式メモリ３２との残容量の合計値が所定値以下であるか否かを判断する。ステップＳ１１３が否定判断されるとステップＳ１１５へ進み、ＨＤＤ３３へ書き込むべきデータを内蔵メモリ３１または着脱式メモリ３２へ出力してステップＳ１１７へ進む。
【００４０】
ステップＳ１１７において、ＨＤＤ３３へ書き込むべきデータを内蔵メモリ３１または着脱式メモリ３２ですべて記録し終えたか否かを判断する。ステップＳ１１７が否定判断されるとステップＳ１１３へ戻る。ステップＳ１１７が肯定判断されるとステップＳ１１１へ戻る。
【００４１】
ステップＳ１１３が肯定判断されるとステップＳ１２１へ進み、内蔵メモリ３１と着脱式メモリ３２とのいずれも残容量がなくなったか否かを判断する。ステップＳ１２１が否定判断されるとステップＳ１２１ａへ進む。ステップＳ１２１ａでは、第１報知音が未出力であるか否かを判断する。ステップＳ１２１ａにおいて肯定判断されると、ステップＳ１２３へ進み、第１報知音を出力するように骨伝導スピーカ２２へ信号を出力してステップＳ１２５へ進む。ステップＳ１２１ａにおいて否定判断される場合はすでに第１報知音が出力済みであるので、ステップＳ１２３の処理をスキップしてステップＳ１２５へ進む。ステップＳ１２５において、ＨＤＤ３３へ書き込むべきデータを内蔵メモリ３１または着脱式メモリ３２へ出力してステップＳ１２７へ進む。
【００４２】
ステップＳ１２７において、ＨＤＤ３３へ書き込むべきデータを内蔵メモリ３１または着脱式メモリ３２ですべて記録し終えたか否かを判断する。ステップＳ１２７が否定判断されるとステップＳ１２１へ戻る。ステップＳ１２７が肯定判断されるとステップＳ１１１へ戻る。
【００４３】
ステップＳ１２１が肯定判断されると、ステップＳ１２１ｂへ進む。ステップＳ１２１ｂでは、第２報知音が未出力であるか否かを判断する。ステップＳ１２１ｂにおいて肯定判断されると、ステップＳ１３１へ進み、第２報知音を出力するように骨伝導スピーカ２２へ信号を出力してステップＳ１３３へ進む。ステップＳ１２１ｂにおいて否定判断される場合はすでに第２報知音が出力済みであるので、ステップＳ１３１の処理をスキップしてステップＳ１３３へ進む。なお、ステップＳ１３１における報知音は、上述したステップＳ１２３における報知音とは異なることが望ましい。ステップＳ１３３において、内蔵メモリ３１または着脱式メモリ３２におけるデータの記録を停止してステップＳ１１１へ進む。
【００４４】
ステップＳ１１１が否定判断されるとステップＳ１５１へ進み、音声通話が終了したか否かを判断する。ステップＳ１５１が否定判断されるとステップＳ１１１へ戻る。ステップＳ１５１が肯定判断されるとステップＳ１５１ａへ進む。ステップＳ１５１ａでは、内蔵メモリ３１と着脱式メモリ３２とのいずれかにＨＤＤ３３に書き込むべきデータが記録されているか否かを判断する。ステップＳ１５１ａが肯定判断されると、ステップＳ１５３へ進む。またステップＳ１５１ａが否定判断されると、当該プログラムの処理を終了してメインプログラムにリターンする。
【００４５】
ステップＳ１５３において、内蔵メモリ３１または着脱式メモリ３２に記録されているＨＤＤ３３へ書き込むべきデータをＨＤＤ３３へ転送して記録するように各部３１〜３４へ信号を出力してメインプログラムにリターンする。
【００４６】
ステップＳ１０３において、あらかじめ設定された動作モードがハードディスクドライブ装置優先モードであると判断されると、図３のステップＳ２０５へ進み、ＨＤＤ３３に対してデータの書き込みおよび読み込みを禁止するようにハードウェア制御部３４に信号を出力してステップＳ２０７へ進む。ステップＳ２０７において、通信回路１１から入力される音声出力を骨伝導スピーカ２２へ出力してステップＳ２１１へ進む。ステップＳ２１１において、ＨＤＤ３３に書き込むべきデータが入力されたか否かを判断する。
【００４７】
ステップＳ２１１が肯定判断されるとステップＳ２１３へ進み、内蔵メモリ３１と着脱式メモリ３２との残容量の合計値が所定値以下であるか否かを判断する。ステップＳ２１３が否定判断されるとステップＳ２１５へ進み、ＨＤＤ３３へ書き込むべきデータを内蔵メモリ３１または着脱式メモリ３２へ出力してステップＳ２１７へ進む。
【００４８】
ステップＳ２１７において、ＨＤＤ３３へ書き込むべきデータを内蔵メモリ３１または着脱式メモリ３２ですべて記録し終えたか否かを判断する。ステップＳ２１７が否定判断されるとステップＳ２１３へ戻る。ステップＳ２１７が肯定判断されるとステップＳ２１１へ戻る。
【００４９】
ステップＳ２１３が肯定判断されるとステップＳ２２１へ進み、内蔵メモリ３１と着脱式メモリ３２とのいずれも残容量がなくなったか否かを判断する。ステップＳ２２１が否定判断されるとステップＳ２２１ａへ進む。ステップＳ２２１ａでは、第１報知音が未出力であるか否かを判断する。ステップＳ２２１ａにおいて肯定判断されると、ステップＳ２２３へ進み、第１報知音を出力するように骨伝導スピーカ２２へ信号を出力してステップＳ２２５へ進む。ステップＳ２２１ａにおいて否定判断される場合はすでに第１報知音が出力済みであるので、ステップＳ２２３の処理をスキップしてステップＳ２２５へ進む。ステップＳ２２５において、ＨＤＤ３３へ書き込むべきデータを内蔵メモリ３１または着脱式メモリ３２へ出力してステップＳ２２７へ進む。
【００５０】
ステップＳ２２７において、ＨＤＤ３３へ書き込むべきデータを内蔵メモリ３１または着脱式メモリ３２ですべて記録し終えたか否かを判断する。ステップＳ２２７が否定判断されるとステップＳ２２１へ戻る。ステップＳ２２７が肯定判断されるとステップＳ２１１へ戻る。
【００５１】
ステップＳ２２１が肯定判断されると、ステップＳ２２１ｂへ進む。ステップＳ２２１ｂでは、第２報知音が未出力であるか否かを判断する。ステップＳ２２１ｂにおいて肯定判断されると、ステップＳ２３１へ進み、第２報知音を出力するように骨伝導スピーカ２２へ信号を出力してステップＳ２３５へ進む。ステップＳ２２１ｂにおいて否定判断される場合はすでに第２報知音が出力済みであるので、ステップＳ２３１の処理をスキップしてステップＳ２３５へ進む。なお、ステップＳ２３１における報知音は、上述したステップＳ２２３における報知音とは異なることが望ましい。ステップＳ２３５において、通信回路１１から入力される音声の出力先を骨伝導スピーカ２２から音圧スピーカ２３へ切り換えてステップＳ２３７へ進む。
【００５２】
ステップＳ２３７において、ＨＤＤ３３へ書き込むべきデータをＨＤＤ３３で記録するように各部３３，３４へ信号を出力してステップＳ２３９へ進む。すなわち、ステップＳ２３７において、今後発生するＨＤＤ３３へ書き込むべきデータをＨＤＤ３３へ出力するとともに、ＨＤＤ３３においてデータを書き込むようにハードウェア制御部３４へ制御信号を出力してステップＳ２３９へ進む。
【００５３】
ステップＳ２３９において、ＨＤＤ３３へ書き込むべきデータをすべて記録し終えたか否かを判断する。ステップＳ２３９が否定判断されるとステップＳ２３７へ戻る。ステップＳ２３９が肯定判断されるとステップＳ２４１へ進む。ステップＳ２４１において、ＨＤＤ３３に書き込むべきデータが新たに入力されたか否かを判断する。
【００５４】
ステップＳ２４１が肯定判断されるとステップＳ２３７へ戻る。ステップＳ２４１が否定判断されるとステップＳ２４３へ進む。ステップＳ２４３において、音声通話が終了したか否かを判断する。ステップＳ２４３が否定判断されるとステップＳ２４１へ戻る。ステップＳ２４３が肯定判断されるとステップＳ２５１ａへ進む。
【００５５】
ステップＳ２１１が否定判断されるとステップＳ２５１へ進み、音声通話が終了した否かを判断する。ステップＳ２５１が否定判断されるとステップＳ２１１へ戻る。ステップＳ２５１が肯定判断されるとステップＳ２５１ａへ進む。ステップＳ２５１ａでは、内蔵メモリ３１と着脱式メモリ３２とのいずれかにＨＤＤ３３に書き込むべきデータが記録されているか否かを判断する。ステップＳ２５１ａが肯定判断されると、ステップＳ２５３へ進む。またステップＳ２５１ａが否定判断されると、当該プログラムの処理を終了してメインプログラムにリターンする。
【００５６】
ステップＳ２５３において、内蔵メモリ３１または着脱式メモリ３２に記録されているＨＤＤ３３へ書き込むべきデータをＨＤＤ３３へ転送して記録するように各部３１〜３４へ信号を出力してメインプログラムにリターンする。
【００５７】
図２のステップＳ１０１が肯定判断されると図４のステップ３０７へ進み、通信回路１１から入力される音声信号を音圧スピーカ２３へ出力してステップＳ３１１へ進む。ステップＳ３１１において、ＨＤＤ３３に書き込むべきデータが入力されたか否かを判断する。
【００５８】
ステップＳ３１１が肯定判断されるとステップＳ３１５へ進み、ＨＤＤ３３へ書き込むべきデータをＨＤＤ３３で記録するように各部３３，３４へ信号を出力してステップＳ３１７へ進む。ステップＳ３１７において、ＨＤＤ３３へ書き込むべきデータをすべて記録し終えたか否かを判断する。ステップＳ３１７が否定判断されるとステップＳ３１５へ戻る。ステップＳ３１７が肯定判断されるとステップＳ３１１へ戻る。
【００５９】
ステップＳ３１１が否定判断されるとステップＳ３５１へ進み、音声通話が終了したか否かを判断する。ステップＳ３５１が否定判断されるとステップＳ３１１へ戻る。ステップＳ３５１が肯定判断されるとメインプログラムにリターンする。
【００６０】
上述した第１の実施の形態の携帯電話機１００では、次の作用効果を奏する。
（１）  データ転送制御部１０が、ＨＤＤ３３におけるデータの読み込みまたは書き込みと、骨伝導スピーカ２２からの音声出力とを排他的に制御するように構成した。したがって、骨伝導スピーカ２２から出力される振動がＨＤＤ３３におけるデータの読み込みおよび書き込みに悪影響を及ぼすことがない。これにより、ＨＤＤ３３におけるデータの読み込みおよび書き込みの信頼性を向上できるとともに、骨伝導スピーカ２２からの音声出力に起因するディスククラッシュを防止できる。また、ＨＤＤ３３のアクセス音などが使用者に対して騒音として伝わることがなく、骨伝導スピーカ２２使用時の音声通話の音質に悪影響を及ぼすことがない。
【００６１】
（２）  骨伝導スピーカ２２から音声が出力されている場合にはＨＤＤ３３におけるデータの読み込みおよび書き込みを禁止するように構成したので、骨伝導スピーカ２２による音声通話を優先したいという使用者の要望に合致した携帯電話機１００を提供できる。
【００６２】
（３）  ＨＤＤ３３がデータの読み込みまたは書き込みを行う場合には骨伝導スピーカ２２からの音声出力を禁止できるように構成した。これにより、たとえば、受信したテレビジョン放送やラジオ放送の内容の録画／録音や、音声通話の内容の録音を優先したいという使用者の要望に合致した携帯電話機１００を提供できる。
【００６３】
（４）  ディスクアクセスが禁止されている場合、データ転送制御部１０は、ＨＤＤ３３に書き込むべきデータをバッファメモリとしての内蔵メモリ３１や着脱式メモリ３２に書き込むように制御する。これにより、骨伝導スピーカ２２を使用した音声通話と、データの記録とを両立して、携帯電話機１００の利便性を向上できる。
【００６４】
（５）  内蔵メモリ３１と着脱式メモリ３２との残容量の合計値が所定値以下になると、データ転送制御部１０は、骨伝導スピーカ２２から報知音を出力するように制御する。これにより、使用者が骨伝導スピーカ２２による音声通話を継続するかしないかを選択する機会を提供できる。
【００６５】
（６）  骨伝導スピーカ優先モードに設定されている場合には、バッファメモリ残量がなくなるとデータの記録を停止するように構成した。これにより、骨伝導スピーカ２２を利用した音声通話を優先できるので、たとえば騒音環境下において確実に音声通話を継続でき、携帯電話機１００の利便性が向上する。
【００６６】
（７）  撮像ユニット４１とＨＤＤ３３とを備えているので、多くの被写体像を撮像可能なカメラとしての機能を付与でき、携帯電話機１００の用途を多様化できる。また、記憶容量の残容量を気にすることなく、多くの被写体像を撮像できる。
【００６７】
−−−第２の実施の形態−−−
図５を参照して、本発明による携帯通信端末の第２の実施の形態を説明する。以下の説明では、第１の実施の形態と同じ構成要素には同じ符号を付して相違点を主に説明する。特に説明しない点については、第１の実施の形態と同じである。第２の実施の形態の携帯電話機１００では、骨伝導スピーカ２２を使用した音声通話時においても、ＨＤＤ３３に対するデータの書き込みおよび読み込みが可能となるように構成されている。
【００６８】
骨伝導スピーカ２２を使用した音声通話時においても、通話相手がしゃべっていないときなどには、骨伝導スピーカ２２から音声が出力されない。そこで、本実施の携帯電話機１００では、骨伝導スピーカ２２を使用した音声通話時においても、骨伝導スピーカ２２から音声が出力されていないときには、ＨＤＤ３３におけるディスクアクセスが許可される。
【００６９】
すなわち、本実施の形態の携帯電話機１００では、骨伝導スピーカ２２を使用した音声通話時にＨＤＤ３３へ書き込むべきデータが発生すると、骨伝導スピーカ２２からの音声出力の合間にデータがＨＤＤ３３に記録される。骨伝導スピーカ２２から音声が出力されている間は、データはバッファメモリとしての内蔵メモリ３１や着脱式メモリ３２に記録される。内蔵メモリ３１や着脱式メモリ３２に記録されたデータは、骨伝導スピーカ２２からの音声出力の合間にＨＤＤ３３に転送されて記録される。
【００７０】
具体的には、データ転送制御部１０が次のように各部を制御する。骨伝導スピーカ２２を使用した音声通話時にＨＤＤ３３へ書き込むべきデータが発生している場合、データ転送制御部１０は、通信回路１１で通話相手の音声を受信したと判断すると、相手の音声を一旦内蔵メモリ３１にバッファリングして録音するように制御する。
【００７１】
そして、データ転送制御部１０は、ＨＤＤ３３へ書き込むべきデータを内蔵メモリ３１や着脱式メモリ３２でバッファリングするように各メモリ３１，３２を制御する。また、データ転送制御部１０は、ＨＤＤ３３におけるディスクアクセスを禁止するようにハードウェア制御部３４へ信号を出力する。その後、データ転送制御部１０は、内蔵メモリ３１にバッファリングしていた相手の音声を骨伝導スピーカ２２から出力するように各部３１，２２を制御する。
【００７２】
データ転送制御部１０は、通信回路１１で受信している通話相手の音声が途切れたと判断すると、ＨＤＤ３３におけるディスクアクセス禁止を解除するようにハードウェア制御部３４へ信号を出力する。また、データ転送制御部１０は、各メモリ３１，３２でバッファリングしたデータをＨＤＤ３３へ転送して記録するように各部３１〜３４に信号を出力する。ＨＤＤ３３へ書き込むべきデータが継続して発生している場合には、このデータもＨＤＤ３３で記録するように各部３３，３４を制御する。
【００７３】
携帯電話機１００では、各種設定を行う設定操作と同様の操作によって音声通話時に使用するスピーカを選択できる。すなわち、入力部２５の操作によって表示装置２１に表示される設定メニューの中から音声通話時に使用するスピーカの選択メニューが呼び出される。この設定メニューにおいて、いずれかのスピーカが選択されて決定されると、音声通話時はその決定内容にしたがったスピーカから、通話相手の音声が出力される。
【００７４】
なお、上述した使用スピーカの選択設定は、上述のように音声通話に先立ってあらかじめ行われるものであるが、音声通話開始直前に、たとえば、着信があったときに選択可能となるように構成されていてもよい。また、音声通話の開始後に、変更できるように構成してもよい。
【００７５】
−−−フローチャート−−−
図５は、携帯電話機１００における骨伝導スピーカ２２とＨＤＤ３３との制御プログラムの動作を示すフローチャートである。入力部２５の開始ボタンがオンされて、通信（音声通話）が開始されると、図５に示す処理を行うプログラムが起動され、データ転送制御部１０で実行される。ステップＳ５０１において、骨伝導スピーカ２２を使用するように設定されているか否かを判断する。ステップＳ５０１が肯定判断されるとステップＳ５０３へ進み、ＨＤＤ３３へ書き込むべきデータが発生したか否かを判断する。
【００７６】
ステップＳ５０３が肯定判断されるとステップＳ５０５へ進み、通信回路１１で相手の音声を受信したか否かを判断する。ステップＳ５０５が肯定判断されるとステップＳ５０７へ進み、通信回路１１で受信した相手の音声を一旦内蔵メモリ３１にバッファリングして録音するように内蔵メモリ３１を制御してステップＳ５０９へ進む。ステップＳ５０９において、ＨＤＤ３３へ書き込むべきデータを内蔵メモリ３１または着脱式メモリ３２へ出力する。また、ステップＳ５０９において、ディスクアクセスを禁止するようにハードウェア制御部３４へ信号を出力してステップＳ５１１へ進む。
【００７７】
ステップＳ５１１において、ＨＤＤ３３の磁気ヘッドが退避位置に退避するのに必要な所定時間が経過するまで待機した後、ステップＳ５１３へ進む。ステップＳ５１３において、ステップＳ５０７でバッファリングした相手の音声を骨伝導スピーカ２２から出力するように制御してステップＳ５１５へ進む。ステップＳ５１５において、通信回路１１で受信した相手の音声が途切れるまで待機する。ステップＳ５１５が肯定判断されるとステップＳ５１７へ進み、ディスクアクセスの禁止を解除するようにハードウェア制御部３４へ信号を出力してステップＳ５１９へ進む。
【００７８】
ステップＳ５１９において、内蔵メモリ３１または着脱式メモリ３２に記録されているＨＤＤ３３へ書き込むべきデータをＨＤＤ３３へ転送開始するように各部３３，３４を制御してステップＳ５１９ａへ進む。ステップＳ５１９ａにおいて、ＨＤＤ３３へのデータの書き込みが終了したか否かを判断する。ステップＳ５１９ａが肯定判断されるとステップＳ５２１へ進む。ステップＳ５１９ａが否定判断されるとステップＳ５１９ｂへ進み、通信回路１１で相手の音声の非受信状態が継続しているか否かを判断する。ステップＳ５１９ｂが肯定判断されるとステップＳ５１９ａへ戻る。ステップＳ５１９ｂが否定判断されるとステップＳ５０７へ戻る。
【００７９】
ステップＳ５２１において、音声通話が終了したか否かを判断する。ステップＳ５２１が否定判断されるとステップＳ５０３へ戻る。ステップＳ５２１が肯定判断されるとメインプログラムにリターンする。
【００８０】
ステップＳ５０５が否定判断されるとステップＳ５３１へ進み、ＨＤＤ３３へ書き込むべきデータをＨＤＤ３３へ書き込み開始するように各部３３，３４を制御してステップＳ５３３へ進む。ステップＳ５３３において、ＨＤＤ３３へのデータの書き込みが終了したか否かを判断する。ステップＳ５３３が肯定判断されるとステップＳ５２１へ進む。ステップＳ５３３が否定判断されるとステップＳ５３４へ進み、通信回路１１で相手の音声の非受信状態が継続しているか否かを判断する。ステップＳ５３４が肯定判断されるとステップＳ５３３へ戻る。ステップＳ５３４が否定判断されるとステップＳ５０７へ進む。
【００８１】
ステップＳ５０３が否定判断されるとステップＳ５２１へ進む。
【００８２】
ステップＳ５０１が否定判断されるとステップＳ５４１へ進み、ＨＤＤ３３へ書き込むべきデータが発生したか否かを判断する。ステップＳ５４１が肯定判断されるとステップＳ５４３へ進み、ＨＤＤ３３へ書き込むべきデータをＨＤＤ３３へ書き込むように各部３３，３４を制御してステップＳ５４５へ進む。ステップＳ５４５において、音声通話が終了したか否かを判断する。ステップＳ５４５が否定判断されるとステップＳ５４１へ戻る。ステップＳ５４５が肯定判断されるとメインプログラムへリターンする。
【００８３】
ステップＳ５４１が否定判断されるとステップＳ５４５へ進む。
【００８４】
上述した第２の実施の形態の携帯電話機１００では、第１の実施の形態の作用効果に加えて、次の作用効果を奏する。
（１）  骨伝導スピーカ２２を使用する場合であっても、骨伝導スピーカ２２から音声が出力されていないときにはＨＤＤ３３においてデータの読み込みまたは書き込みを行うように、データ転送制御部１０が各部を制御するように構成した。これにより、骨伝導スピーカ２２を利用した音声通話と、ＨＤＤ３３へのデータの記録とを両立して、利便性の高い携帯電話機１００を実現できる。
【００８５】
−−−変形例−−−
（１）  上述した第１の実施の形態では、骨伝導スピーカ優先モードが設定されていて音声通話が行われている場合に、内蔵メモリ３１および着脱式メモリ３２の双方の残容量がなくなると、データ転送制御部１０はデータの記録を停止する。また、ハードディスクドライブ装置優先モードが設定されていて音声通話が行われている場合に、内蔵メモリ３１および着脱式メモリ３２の双方の残容量がなくなると、データ転送制御部１０は骨伝導スピーカ２２の使用を解除して、データをＨＤＤ３３に記録する。しかし、本発明はこれに限定されない。
【００８６】
たとえば、内蔵メモリ３１や着脱式メモリ３２の残容量が少なくなった時点で、データの記録を停止して骨伝導スピーカ２２の使用を継続するか、骨伝導スピーカ２２の使用を解除してデータをＨＤＤ３３に記録するようにするかを、使用者が選択できるように構成してもよい。すなわち、内蔵メモリ３１と着脱式メモリ３２との残容量の合計値が所定値以下になって骨伝導スピーカ２２から報知音が出力されたときに、骨伝導スピーカ２２の使用を優先するか、データの記録を優先するかを入力部２５の操作によって選択可能に構成してもよい。
【００８７】
（２）  上述の説明では、骨伝導スピーカ２２で音声を出力する場合には、ＨＤＤ３３におけるディスクアクセスを禁止するように構成しているが、本発明はこれに限定されない。たとえば、ディスクアクセスを禁止する際に、ハードディスクを回転駆動するモータを停止させるように構成してもよい。
【００８８】
（３）  上述の説明では、骨伝導スピーカ２２とＨＤＤ３３とを排他的に制御するように構成しているが、本発明はこれに限定されない。たとえば、図６に示すように、携帯電話機１００に骨伝導マイク２６が搭載されている場合には、骨伝導マイク２６とＨＤＤ３３とを排他的に制御するように構成してもよい。これにより、上述した作用効果と同様の作用効果を奏する。
【００８９】
たとえば、上述した第１の実施の形態における、骨伝導スピーカ優先モードやハードディスクドライブ装置優先モードの設定時のように、骨伝導マイク２６を使用した音声通話時には、ＨＤＤ３３におけるディスクアクセスを禁止するように構成してもよい。この場合、ＨＤＤ３３に書き込むべきデータを内蔵メモリ３１や着脱式メモリ３２に書き込むように構成してもよい。
【００９０】
上述した骨伝導スピーカ優先モード設定時のように、内蔵メモリ３１および着脱式メモリ３２の双方の残容量がなくなると、データの記録を停止するように構成してもよい。また、上述したハードディスクドライブ装置優先モード設定時のように、内蔵メモリ３１および着脱式メモリ３２の双方の残容量がなくなると、使用するマイクを骨伝導マイク２６から音圧マイク２４に切り換えるように構成してもよい。この場合には、ＨＤＤ３３に対するデータの書き込みおよび読み込み禁止を解除するように構成してもよい。
【００９１】
（４）  上述の説明では、ＨＤＤ３３を備えるように構成しているが、本発明はこれに限定されない。ＨＤＤ３３以外の記憶装置として、たとえば、ＭＯやＣＤ−ＲＯＭ、ＤＶＤなどのように光や磁気を利用して、回転するメディアに記憶する装置を小型化した記憶装置を備えるように構成してもよい。
（５）  上述した各実施の形態および変形例は、それぞれ組み合わせてもよい。
【００９２】
なお、本発明は、上述した実施の形態のものに何ら限定されず、ハードディスクドライブ装置におけるデータの読み込みまたは書き込みと、骨伝導スピーカからの音声出力とを排他的に制御することができる各種の音声伝達装置を含むものである。音声伝達装置の一例として補聴器がある。
【図面の簡単な説明】
【００９３】
【図１】携帯通信端末の一例としての携帯電話の全体構成図である。
【図２】携帯電話機１００における骨伝導スピーカ２２とＨＤＤ３３との制御プログラムの動作を示すフローチャートである。
【図３】携帯電話機１００における骨伝導スピーカ２２とＨＤＤ３３との制御プログラムの動作を示すフローチャートである。
【図４】携帯電話機１００における骨伝導スピーカ２２とＨＤＤ３３との制御プログラムの動作を示すフローチャートである。
【図５】第２の実施の形態の携帯電話機１００における骨伝導スピーカ２２とＨＤＤ３３との制御プログラムの動作を示すフローチャートである。
【図６】変形例を示す図である。
【符号の説明】
【００９４】
１０  データ転送制御部            １１  通信回路
２１  表示装置                    ２２  骨伝導スピーカ
２３  音圧スピーカ                ２４  音圧マイク
２６  骨伝導マイク                ３１  内蔵メモリ
３２  着脱式メモリ                ３３  ハードディスクドライブ装置（ＨＤＤ）
３４  ハードウェア制御部          ４１  撮像ユニット
１００  携帯電話機
【図１】
2007150954.tif 000003
【図２】
2007150954.tif 000004
【図３】
2007150954.tif 000005
【図４】
2007150954.tif 000006
【図５】
2007150954.tif 000007
【図６】
2007150954.tif 000008